【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
持ち手（３）となる棒の先に、クリップ（４）あるいは板状の物体が差し込める差込口（５）が設けられ、そのクリップ（４）の先あるいは差込口（５）がU字（７）、V字（８）、W字（９）、あるいはM字（１０）に曲がっており、ここに紙のように柔軟な材質や鉄等の金属等、プラスチック等のように硬くて容易に曲がることのない材質等様々な材質を挟んで刃として使用することができ、クリップ（４）や差込口（５）に挟んで使用できる限りにおいて、様々な大きさ、形状の刃（１１）（３８）を使用でき、柔軟性のある紙等の板状の物体を挟み込むと、その物体もクリップ（４）の先あるいは差込口（５）の形に曲がるため、そのような柔軟性のある物体であっても応力が働き、正面方向へ力を加えても曲がり難くなり、そのためスコップのような利用ができるようになり、また、硬くて容易に曲がることのない材質、例えば鉄等の金属等、プラスチック等の物体でもクリップ（４）や差込口（５）のU字（７）、V字（８）、W字（９）、あるいはM字（１０）の形状に合わせてあらかじめ加工された物体を挟み込むことができ、その場合はクリップ（４）の先あるいは差込口（５）の形が単純な直線ではないため、使用中に刃にかかるさまざまな方向の力に強くなり、持ち手（３）の先にこれらの様々な形状の物体を挟み込むことができ、これにより園芸用、ペット用等のスコップ（１２）や熊手（４４）等の多用途な目的に使用することができることを特徴とするクリップ（４）または差込口（５）がついた持ち手（３）。
【請求項２】
請求項１に記載のクリップ（４）または差込口（５）がついた持ち手（３）に装着できるスコップ（１１）（３８）や移植スコップ（４２）、目盛り付移植スコップ（４３）の刃であり、装着するとスコップ（１１）（３８）や移植スコップ（４２）、目盛り付移植スコップ（４３）として使用できることを特徴とするスコップの刃。
【請求項３】
請求項１に記載のクリップ（４）または差込口（５）がついた持ち手（３）に装着できる熊手（４４）の刃であり、装着すると熊手（４４）として使用できることを特徴とする刃。
【請求項４】
請求項１に記載のクリップ（４）または差込口（５）がついた持ち手（３）に装着できるフォーク（４５）の刃であり、装着するとフォーク（４５）として使用できることを特徴とする刃。
【請求項５】
請求項１に記載のクリップ（４）または差込口（５）がついた持ち手（３）に装着できる根茎取り（４６）の刃であり、装着すると根茎取り（４６）として使用できることを特徴とする刃。
【請求項６】
請求項１に記載のクリップ（４）または差込口（５）がついた持ち手（３）に装着できる除草すき（４７）やその他の柄のついた園芸用品の刃であり、装着すると除草すき（４７）やその他の柄のついた園芸用品として使用できることを特徴とする刃。
【請求項７】
請求項１に記載のクリップ（４）または差込口（５）がついた持ち手（３）に装着できる金魚すくい（４１）やその他の柄のついた玩具の刃であり、装着すると金魚すくい（４１）やその他の柄のついた玩具として使用できることを特徴とする刃。
【請求項８】
請求項１に記載のクリップ（４）または差込口（５）がついた持ち手（３）に装着できる靴べら（４８）の刃であり、装着すると靴べら（４８）として使用できることを特徴とする刃。
【請求項９】
請求項１に記載のクリップ（４）または差込口（５）がついた持ち手（３）に装着できる刃（請求項２から請求項８を含む）であり、刃に様々な形や大きさの穴（１６）をあけて、動物用のトイレ用のスコップ等で使用できることを特徴とする刃。
【請求項１０】
請求項１に記載のクリップ（４）または差込口（５）がついた持ち手（３）に装着できる刃（請求項２から請求項８を含む）であり、それ自体に消臭剤や芳香剤、防虫剤、殺虫剤等の様々な有用な薬剤を染み込ませていたり、染み込ませることができることを特徴とする刃。
【請求項１１】
請求項１に記載のクリップ（４）または差込口（５）がついた持ち手（３）に装着できる刃（請求項２から請求項８を含む）であり、その裏面、背面（１８）にふき取り等に使用できるシート（１９）を装着したり、刃に切り欠き（２０）を入れる等の手段を用いることで、裏面、背面（１８）に市販のふき取り等に使用できるシート（２２）を装着することができることを特徴とする刃。
【請求項１２】
請求項１に記載のクリップ（４）または差込口（５）がついた持ち手（３）に装着できる刃（請求項２から請求項８を含む）であり、それ自体が水栓トイレ等で流せるように水中で粉々に分解されたり溶けたりする材質であり、使用後に水洗トイレで流すなどして即時に処分できることを特徴とする刃。
【請求項１３】
請求項１に記載のクリップ（４）または差込口（５）がついた持ち手（３）に装着できるスコップの刃（１１）（３８）として使用できる物体を置くことができるトレイ（２４）であり、スコップの刃（１１）（３８）自体に消臭剤や芳香剤、防虫剤、殺虫剤等の様々な有用な薬剤を染み込ませている場合は、そこに置くスコップの刃（１１）（３８）の枚数を変えることで消臭剤や芳香剤、防虫剤、殺虫剤等の様々な有用な薬剤がトレイ（２４）の周りに拡散し、そういった薬剤を染み込ませていない場合は、トレイ（２４）の中に消臭剤や芳香剤、防虫剤、殺虫剤等の様々な有用な薬剤の原液や原材料（２５）を入れることができるため、そこに置くスコップの刃（１１）（３８）の枚数を変えることで消臭剤や芳香剤、防虫剤、殺虫剤等の様々な有用な薬剤が周りに拡散する力を調整でき、かつスコップの刃（１１）（３８）が消臭剤や芳香剤、防虫剤、殺虫剤等の様々な有用な薬剤の原液や原材料（２５）に触れることにより、その薬剤の効果がスコップの刃（１１）（３８）にもうつるようになっていることを特徴とするトレイ（２４）。
【請求項１４】
請求項１３のトレイ（２４）が２重構造（２７）（２８）になっているか、１つのトレイの中に２つの空間（３３）を持っており、２重構造（２７）（２８）のトレイの１トレイ（２７）、２つの空間（３３）のトレイの１空間（３５）には請求項１に記載のクリップ（４）または差込口（５）がついた持ち手（３）に装着できるスコップの刃（１１）（３８）として使用できる物体を置くことができ、２重構造（２７）（２８）のトレイの他方のトレイ（２８）、２つの空間（３３）のトレイの他方の空間（３４）には消臭剤や芳香剤、防虫剤、殺虫剤等の様々な有用な薬剤の原液や原材料（２５）を入れることができ、スコップの刃（１１）（３８）を入れるトレイ（２７）、空間（３５）と薬剤を入れるトレイ（２８）、空間（３４）との間の仕切りに穴（３２）（３６）があいており、薬剤の成分は薬剤を入れているトレイ（２８）、空間（３４）からスコップの刃（１１）（３８）を入れているトレイ（２７）、空間（３５）を通って外に出て効果を発揮するようになっており、そのためスコップの刃（１１）（３８）を置くトレイ（２７）、空間（３５）のスコップの刃（１１）（３８）の枚数を変えることでトレイの外に出る消臭剤や芳香剤、防虫剤、殺虫剤等の様々な有用な薬剤が周りに拡散する力を調整でき、かつスコップの刃（１１）（３８）が消臭剤や芳香剤、防虫剤、殺虫剤等の様々な有用な薬剤の成分に触れることにより、その薬剤の効果がスコップの刃（１１）（３８）にもうつるようになっていることを特徴とする２重構造のトレイ（２７）（２８）、２つの空間を持つトレイ（３３）。
【請求項１５】
請求項１３から請求項１４のトレイ（２４）（２７）（２８）（３３）は独立してそれのみで玄関等の様々な場所に置くことができるが、請求項１に記載のクリップ（４）または差込口（５）がついた持ち手（３）に装着できるスコップの刃（１１）（３８）を動物の汚物処理用として使用する場合や、トレイ（２４）（２７）（２８）（３３）の中に入れる薬剤の効果を考えると、動物用トイレ（２３）の近くでその効力を高く発揮することができるため、トレイ（２４）（２７）（２８）（３３）を動物用トイレ（２３）に装着して一体型としたり、トレイ（２４）（２７）（２８）（３３）が動物用トイレ（２３）と着脱可能となっていることを特徴とするスコップの刃（１１）（３８）や消臭剤や芳香剤、防虫剤、殺虫剤等の様々な有用な薬剤の原液や原材料（２５）を入れるためのトレイ（２４）（２７）（２８）（３３）および動物用トイレ（２３）。